(57)【要約】【課題】軸受部またはロッカアームを大型化することなく、かつフリクションを発生させることなく簡単な構成でロッカアームの軸方向の移動を規制することができる内燃機関の動弁機構を供する。【解決手段】ロッカアームシャフト57に挿通させた円筒状のカラー61を軸受33Ｒ，33Ｌ間に介装してロッカアーム58の軸方向の移動が規制され、ロッカアームシャフト57には軸方向にオイル通路57ａが形成されるとともに径方向に貫通して外周面に通じるオイル吐出路57ｃが軸方向所定位置に形成され、カラー61には径方向に貫通するオイル吐出孔61ｃがロッカアームシャフト57のオイル吐出路57ｃに対応した所定位置に形成され、カラー61の回動を阻止するカラー回動阻止機構65を備えた内燃機関の動弁機構。【選択図】図１０
2008175088.tif 000002
【特許請求の範囲】
【請求項１】
軸受間に架設支持されたロッカアームシャフトにロッカアームが揺動自在に軸支され、同ロッカアームの一端がカムシャフトに形成されたカムに摺接し、他端が調整ねじを介してバルブを開閉駆動させる内燃機関の動弁機構において、
前記ロッカアームシャフトに挿通させた円筒状のカラーを前記軸受間に介装してロッカアームの軸方向の移動が規制され、
前記ロッカアームシャフトには軸方向にオイル通路が形成されるとともに径方向に貫通して外周面に通じるオイル吐出路が軸方向所定位置に形成され、
前記カラーには径方向に貫通するオイル吐出孔が前記ロッカアームシャフトのオイル吐出路に対応した所定位置に形成され、
前記カラーの回動を阻止するカラー回動阻止機構を備えたことを特徴とする内燃機関の動弁機構。
【請求項２】
前記ロッカアームシャフトの軸方向の移動を規制するストッパプレートを備え、
前記ストッパプレートのカラー係合片が前記カラーに設けられた切欠きに係合して前記カラー回動阻止機構を構成することを特徴とする請求項１記載の内燃機関の動弁機構。
【請求項３】
前記ストッパプレートは、前記ロッカアームシャフトの端部に形成された切欠きに係合して前記ロッカアームシャフトの回動を阻止するシャフト係合片が形成されていることを特徴とする請求項２記載の内燃機関の動弁機構。
【発明の詳細な説明】
【技術分野】
【０００１】
本発明は、内燃機関の動弁機構に関する。
【背景技術】
【０００２】
バルブを開閉するロッカアームがロッカアームシャフトに揺動自在に軸支される構造の動弁機構において、オイル通路が形成されたロッカアームシャフトとロッカアームにオイル吐出口を連通形成した例（特許文献１参照）がある。
【０００３】
【特許文献１】実公平７−４１８４９号公報
【０００４】
同特許文献１では、ロッカアームシャフトは対向する１対のカムホルダの軸受部に架設支持されており、両側の軸受に挟まれるようにしてロッカアームが揺動自在に軸支されている。
【発明の開示】
【発明が解決しようとする課題】
【０００５】
１対のカムホルダ間の距離に比べてロッカアームの軸方向幅は小さいので、ロッカアームシャフトの両端を支持するカムホルダの両軸受部がロッカアームを挟む位置まで大きく延出しており、カムホルダが大型化していた。
逆にロッカアームの揺動基部を軸方向に延出することも考えられるが、ロッカアーム自体が大型化する。
【０００６】
そこで、軸受部を延出する代わりに圧縮コイルバネからなる位置決め用バネを介装させる例（特許文献２）がある。
しかし、バネを介装させることで、ロッカアームを軸方向に付勢するため、ロッカアームの揺動にフリクションを発生させる。
【０００７】
【特許文献２】特開２００４−３１６６３３号公報
【０００８】
本発明は、かかる点に鑑みなされたもので、その目的とする処は、軸受部またはロッカアームを大型化することなく、かつフリクションを発生させることなく簡単な構成でロッカアームの軸方向の移動を規制することができる内燃機関の動弁機構を供する点にある。
【課題を解決するための手段】
【０００９】
上記目的を達成するために、請求項１記載の発明は、
軸受間に架設支持されたロッカアームシャフトにロッカアームが揺動自在に軸支され、同ロッカアームの一端がカムシャフトに形成されたカムに摺接し、他端が調整ねじを介してバルブを開閉駆動させる内燃機関の動弁機構において、前記ロッカアームシャフトに挿通させた円筒状のカラーを前記軸受間に介装してロッカアームの軸方向の移動が規制され、前記ロッカアームシャフトには軸方向にオイル通路が形成されるとともに径方向に貫通して外周面に通じるオイル吐出孔が軸方向所定位置に形成され、前記カラーには径方向に貫通するオイル吐出孔が前記ロッカアームシャフトのオイル吐出路に対応した所定位置に形成され、前記カラーの回動を阻止するカラー回動阻止機構を備えた内燃機関の動弁機構とした。
【００１０】
請求項２記載の発明は、請求項１記載の内燃機関の動弁機構において、前記ロッカアームシャフトの軸方向の移動を規制するストッパプレートを備え、前記ストッパプレートのカラー係合片が前記カラーに設けられた切欠きに係合して前記カラー回動阻止機構を構成することを特徴とする。
【００１１】
請求項３記載の発明は、請求項２記載の内燃機関の動弁機構において、前記ストッパプレートは、前記ロッカアームシャフトの端部に形成された切欠きに係合して前記ロッカアームシャフトの回動を阻止するシャフト係合片が形成されていることを特徴とする。
【発明の効果】
【００１２】
請求項１記載の内燃機関の動弁機構によれば、ロッカアームシャフトに挿通させた円筒状のカラーを軸受間に介装してロッカアームの軸方向の移動を規制するので、カムホルダなどの軸受部またはロッカアームの大型化を避け、かつフリクションの発生を回避した簡単な構成でロッカアームの軸方向の移動を規制することができ、かつカラーには径方向に貫通するオイル吐出孔が前記ロッカアームシャフトのオイル吐出路に対応した所定位置に形成され、カラーの回動を阻止するカラー回動阻止機構を備えているので、ロッカアームの所要部へのオイルの供給を容易に確保することができる。
【００１３】
請求項２記載の内燃機関の動弁機構によれば、ロッカアームシャフトの軸方向の移動を規制するストッパプレートが、その一片をカラーに設けられた切欠きに係合してカラー回動阻止機構を構成するので、１つのストッパプレートでロッカアームシャフトの軸方向の移動を規制するとともに、カラーの回動を阻止でき、少ない部品点数で組付け作業も簡単化することができる。
【００１４】
請求項３記載の内燃機関の動弁機構によれば、前記ストッパプレートは、ロッカアームシャフトの回動を阻止するシャフト係合片が形成されているので、１つのストッパプレートでカラーの回動を阻止するとともに、ロッカアームシャフトの軸方向の移動および回動を規制することができ、益々少ない部品点数で組付け作業も簡単化することができる。
【発明を実施するための最良の形態】
【００１５】
以下、本発明に係る一実施の形態について図１ないし図１６に基づいて説明する。
図１は、本発明を適用した一実施の形態に係るスクータ型自動二輪車１の側面図である。
【００１６】
本実施の形態においては、車両の前進方向を向いた状態を基準にして前後左右を決めることとする。
車体前部１ｆと車体後部１ｒとが、低いフロア部１ｃを介して連結されており、車体の骨格をなす車体フレームは、概ねダウンチューブ３とメインパイプ４とからなる。
【００１７】
すなわち車体前部１ｆのヘッドパイプ２からダウンチューブ３が下方へ延出し、同ダウンチューブ３は下端で水平に屈曲してフロア部１ｃの下方を後方へ延び、その後端において左右一対のメインパイプ４が連結され、メインパイプ４は該連結部から斜め後方に立ち上がって所定高さで水平に屈曲して後方に延びている。
【００１８】
同メインパイプ４により燃料タンク５等が支持され、その上方にシート６が配置されている。
一方車体前部１ｆにおいては、ヘッドパイプ２に軸支されて上方にハンドル11が設けられ、下方にフロントフォーク12が延びてその下端に前輪13が軸支されている。
【００１９】
メインパイプ４の立ち上がり部下端にはブラケット15が突設され、同ブラケット15にリンク部材16を介してパワーユニット20が揺動可能に連結支持されている。
【００２０】
パワーユニット20には、その前部に単気筒４ストロークの水冷式内燃機関30が、シリンダブロック32を略水平に近い状態にまで大きく前傾した姿勢で搭載され、そのクランクケース31の下端から前方に突出したハンガーブラケット18の端部が前記リンク部材16にピボット軸19を介して連結されている。
【００２１】
パワーユニット20は該内燃機関30から後方にかけてベルト式無段変速機46が構成され、その後部に設けられた減速機構38に軸支された後車軸21ａに後輪21が設けられている。
この減速機構38の上端と前記メインパイプ４の上部屈曲部間にリヤクッション22が介装されている。
【００２２】
パワーユニット20の上部には、内燃機関30の大きく前傾したシリンダヘッド33の上部から延出した吸気管23に接続されたスロットルボディ25および同スロットルボディ25に連結されるエアクリーナ26が配設されている。
なお、吸気管23には吸気ポートに向けて燃料を噴射するインジェクタ24が装着されている（図４参照）。
【００２３】
一方、シリンダヘッド33の下部から延出した排気管27は、右側に偏りながら下方に延び、右側のハンガーブラケット18を巻き込むように後方へ湾曲し、クランクケースに相当する部分の右方に設けられる後記するラジエータ80の下方を後方へ延び、マフラー28に連結されている。
マフラー28は、ブラケット29によりクランクケース31に吊設され、後輪21の右側に位置している。
【００２４】
車体前部１ｆは、フロントカバー９ａとレッグシールド９ｂにより前後からフロントロアカバー９ｃにより左右側方から覆われ、ハンドル11の中央部はハンドルカバー９ｄによって覆われる。
フロア部１ｃはサイドカバー９ｅにより覆われ、また車体後部１ｒは左右側方からボデイカバー10によって覆われる。
【００２５】
図２は、パワーユニット20の縦断面図である。
内燃機関30は、シリンダブロック32のシリンダライナ44内を往復動するピストン42とクランク軸40のクランクピン40ａとをコネクティングロッド43が連結している。
クランクケース31は、左右割りの左クランクケース31Ｌと右クランクケース31Ｒとを合体して構成されるもので、右クランクケース31Ｒは、クランクケース部の半体をなし、左クランクケース31Ｌは、前後に長尺で前部のクランクケース部31ａ，図１を参照して中央の伝動ケース部31ｂ，後部の減速機ケース部31ｃからなる。
【００２６】
この左クランクケース31Ｌの左側開放面は、伝道ケースの一部である伝動ケースカバー36により覆われ、内部にベルト式無段変速機46が収納され、後方の減速機ケース部31ｃの右側開放面は減速機ケース37により覆われ、内部に減速機構38が収納される。
【００２７】
クランクケース部31ａと右クランクケース31Ｒの所謂クランクケース内には、クランク軸40が左右の主ベアリング41，41に回転自在に支持されて、左右水平方向に延びた延出部のうち右延出部にはカムチェーン駆動スプロケット55ａとオイルポンプ駆動ギヤ55ｂおよびＡＣジェネレータ72が設けられ、左延出部にはベルト式無段変速機46の遠心ウエイト47と駆動プーリ48ａが設けられる。
【００２８】
ベルト式無段変速機46は、駆動プーリ48ａと減速機構38の入力軸38ａに設けられる被動プーリ48ｂとにＶベルト49が掛け渡されて動力が伝達されるもので、変速比は機関回転数に応じて移動する遠心ウエイト47により駆動プーリ48ａにおけるＶベルト49の巻掛け径が変化し、同時に被動プーリ48ｂにおける巻掛け径が変化することにより自動的に変更され、無段変速する。
【００２９】
本４サイクル内燃機関30は、ＳＯＨＣ型式のバルブシステムを採用しており、シリンダヘッドカバー34内には動弁機構50が設けられ、同動弁機構50に動力伝達を行うカムチェーン51がカムシャフト53とクランク軸40との間に架設されており、そのためのカムチェーン室52ｃ，52ｓ，52ｈが、右クランクケース31Ｒ，シリンダブロック32，シリンダヘッド33に連通して設けられている。
【００３０】
すなわち左右水平方向に指向したカムシャフト53の右端に嵌着された被動スプロケット54と、クランク軸40に嵌着された前記駆動スプロケット55ａとの間にカムチェーン51がカムチェーン室52ｃ，52ｓ，52ｈ内を通って架渡されている。
【００３１】
なお、図３を参照して、右クランクケース31Ｒと後記する隔壁70との間にポンプ駆動軸62を回転自在に架設してオイルポンプ61が設けられており、ポンプ駆動軸62に嵌着された被動ギヤ63が、前記カムチェーン駆動スプロケット55ａと一体に形成されたオイルポンプ駆動ギヤ55ｂと噛合している。
【００３２】
右クランクケース31Ｒには、オイルポンプ61から下方にオイル通路65ａが延出しており、同オイル通路65ａの途中から左方にオイル通路65ｂが左クランクケース31Ｌまで水平に延びてオイルストレーナ66に至っている。
オイルストレーナ66の下方はオイル溜まり65ｃとなっている。
【００３３】
したがって、クランク軸40の回転により駆動ギヤ55ｂと被動ギヤ63の噛合を介してオイルポンプ61が駆動されると、オイル溜まり65ｃからオイルストレーナ66を介してオイルを汲み上げ、所要箇所に供給する。
【００３４】
シリンダヘッド33においてカムチェーン室52と反対側（左側）から燃焼室33ａに向かって点火プラグ45が嵌挿されている。
図４を参照して、大きく前傾したシリンダヘッド33の燃焼室33ａから吸気ポート33ｉが上方に湾曲して延出し前記吸気管23に連結され、燃焼室33ａから排気ポート33ｅが下方に湾曲して延出し前記排気管26に連結される。
【００３５】
図４に示すようにシリンダヘッドカバー34内の動弁機構50は、シリンダが水平に近い状態にまで大きく前傾しているので、吸気ポート33ｉの燃焼室33ａへの開口を開閉する吸気バルブ56ｉがカムシャフト53の上方に配設され、排気ポート33ｅの燃焼室33ａへの開口を開閉する排気バルブ56ｅがカムシャフト53の下方に配設されている。
【００３６】
カムシャフト53は、シリンダヘッド33の左側壁とカムチェーン室52ｈを構成する内側壁33ｃにベアリング56，56を介して回転自在に軸支され、右側のベアリング56より突出した右端に被動スプロケット54が嵌着されている。
【００３７】
図４に示すように、カムシャフト53の前方の斜め上下位置にそれぞれ配置される吸気ロッカアームシャフト57と排気ロッカアームシャフト59が、シリンダヘッド33の左側壁と内側壁33ｃ（図２参照）間に架設されている。
吸気ロッカアームシャフト57と排気ロッカアームシャフト59は、互いに上下位置にあり、上側の吸気ロッカアームシャフト57に揺動自在に枢着された吸気ロッカアーム58の一端に軸支されたローラ58ｒがカムシャフト53の吸気カム53ｉに接し、他端に螺合された調整ねじ58ｓがバルブスプリング56ibにより付勢された吸気バルブ56ｉのバルブステム56isの端部に接する。
【００３８】
同様に、下側の排気ロッカアームシャフト59に揺動自在に枢着された排気ロッカアーム60の一端に軸支されたローラ60ｒがカムシャフト53の排気カム53ｅに接し、他端に螺合された調整ねじ60ｓがバルブスプリング56ebにより付勢された排気バルブ56ｅのバルブステム56esの端部に接する。
したがって、カムシャフト53の回転により吸気カム53ｉと排気カム53ｅがそれぞれ吸気ロッカアーム58と排気ロッカアーム60を揺動して所定のタイミングで吸気バルブ56ｉと排気バルブ56ｅの開閉動作を行わせる。
【００３９】
図２および図３を参照して、右クランクケース31Ｒのカムチェーン室52ｃを構成する内側壁31Rcと右側壁31Rrにはクランク軸40が貫通する開口を有し、内側壁31Rcの開口にクランク軸40を軸支する主ベアリング41が嵌着され、右側壁31Rrの大きな開口は右方からボルト71により取り付けられる隔壁70により閉塞され、隔壁70の円筒部70ａをクランク軸40が貫通している。
【００４０】
ＡＣジェネレータ72は、隔壁70の円筒部70ａを貫通したクランク軸40の右端部にＡＣＧボス73を介して碗状のアウタロータ74が固着され、その内周面に周方向に亘って配設される磁石75の内側にステータコイル77の巻回されたインナステータ76が隔壁70の円筒部70ａに固定されている。
【００４１】
アウタロータ74の右側面には中央が膨出して円板状をしたラジエータファン基板78ａが取り付けられており、ラジエータファン基板78ａには右方に突出して複数のラジエータファン78が形成されている。
【００４２】
ＡＣジェネレータ72のアウタロータ74の外周は、右クランクケース31Ｒの右側壁31Rrから右方に延出した周壁31Rsに概ね囲繞され、ラジエータファン78の外周は後記するシュラウド90により囲繞され、ラジエータファン78の右方にはラジエータ80が近接して設けられる。
【００４３】
図４は、ラジエータ80およびシュラウド90を取り外した内燃機関30の右側面図を示す。
右クランクケース31Ｒの若干縦長の周壁31RsがＡＣジェネレータ72のアウタロータ74の外周を覆っている。
【００４４】
周壁31Rsの上部前後および下部前後から外周側に延出した４つ延出部にそれぞれラジエータ取付ボス31Rbが周壁31Rsの端面よりさらに右方に突出して形成されている（図３参照）。
４本のラジエータ取付ボス31Rbの右端面は、同一平面上にある。
【００４５】
一方、ラジエータ80は、図５（図３参照）に図示するように、矩形をしたラジエータコア部81が上側ラジエータタンク部82と下側ラジエータタンク部83により挟まれた構造をしており、上側ラジエータタンク部82は、上方に冷却水の補給口82ａが延出して開口をフィラーキャップ85が閉じており、また上側ラジエータタンク部82の前部の背後（左側）に冷却水導入口82ｂが突出している。
この前後に長尺の上側ラジエータタンク部82の前後端にそれぞれ取付けブラケット82ｃ，82ｃが取付け孔を備えて形成されている。
【００４６】
他方、下側ラジエータタンク部83は、後寄りにドレンコック83ａが設けられ、前端に前方に向けて冷却水導出口83ｂが突出している。
そして、前寄り下部と後端にそれぞれ取付けブラケット83ｃ，83ｃが取付け孔を備えて形成されている。
【００４７】
上側ラジエータタンク部82の前後の取付けブラケット82ｃ，82ｃと下側ラジエータタンク部83の前後の取付けブラケット83ｃ，83ｃは、右クランクケース31Ｒの周壁31Rsの外周側で右方に突出形成された前記４本のラジエータ取付ボス31Rbに対応しており、互いに合わせてボルト86により固着してラジエータ80を右クランクケース31Ｒに直接固定する（図３参照）。
【００４８】
また、図５に示すように、ラジエータ80の上側ラジエータタンク部82には、前側の取付けブラケット82ｃから前方に延出してシュラウド取付けブラケット82ｄが取付け孔を備えて形成され、後側の取付けブラケット82ｃの上方にも上側ラジエータタンク部82の後上部から斜め上方へ延出してシュラウド取付けブラケット82ｄが取付け孔を備えて形成されている。
下側ラジエータタンク部83も中央部から下方に延出してシュラウド取付けブラケット83ｄが取付け孔を備えて形成されている。
【００４９】
このラジエータ80に形成された３つのシュラウド取付けブラケット82ｄ，82ｄ，83ｄに、ラジエータファン78の外周を囲繞するシュラウド90が、ラジエータ80の裏側から取り付けられる。
【００５０】
シュラウド90は、図６ないし図８に図示するように、中央に大きく円形開口91ａが形成された矩形板部91（下端縁が一部下方へ膨出している）が形成されており、矩形板部91の裏面（左側面）に円形開口91ａの前方から上方さらに後方に亘って湾曲した周壁部92が突出して形成されている。
【００５１】
この周壁部92が右クランクケース31Ｒの前記周壁31Rsと対応し、互いの端面を当接して合わさり、ラジエータファン78の外周を周壁部92が囲繞することになる。
周壁部92の下方の欠損部が排風口93を構成し、この排風口93に複数の整流板94がラジエータ風を円滑に排出する方向に角度をつけて矩形板部91から突出形成されている。
【００５２】
矩形板部91の前後側縁には、表側（右側）に突出する前後一対の側片95，95が形成されており、この前後対向する側片95，95間にラジエータ80が挟まれるようにして嵌装される。
前側片95の上下に右端面に沿ってカバー取付け片96が前方に突出形成され、同様に後側片95の上下に右端面に沿ってカバー取付け片96が後方に突出形成されている。
この４つのカバー取付け片96にはそれぞれねじ孔96ａが形成されている。
【００５３】
矩形板部91の上部前端に上方に延出してラジエータ80との取付けブラケット97が形成され、周壁部92の上部からは後方斜め上向きでかつ表側（右側）に偏向しながら延出して取付けブラケット98が形成され、矩形板部91の下部の中央からは下方に延出して取付けブラケット99が形成されている。
この３つの取付けブラケット97，98，99は、それぞれ取付け孔97ａ，98ａ，99ａを備えている。
【００５４】
以上のような形状のシュラウド90をラジエータ80の裏側に取り付ける。
ラジエータ80のラジエータコア部81の前後側縁をシュラウド90の矩形板部91の前後側片95，95が挟むように案内してラジエータコア部81の裏側にシュラウド90の矩形板部91の表側を重ね、ラジエータ80の３つのシュラウド取付けブラケット82ｄ，82ｄ，83ｄのそれぞれにシュラウド90の３つの取付けブラケット97，98，99を合わせて互いの取付け孔にリベット100を貫通させて締結する。
【００５５】
このようにラジエータ80の裏側にシュラウド90を取り付けた状態で、図４に示す右クランクケース31Ｒの右側開口に、シュラウド90を重ね合わせてラジエータ80を前記したように右クランクケース31Ｒにボルト86により直接固定する。
【００５６】
右クランクケース31Ｒの周壁31Rsの外周側で右方に突出形成された４本のラジエータ取付ボス31Rbは、シュラウド90の周壁部92の外周囲に突出形成されて取付けブラケット97，98，99まで延びており、したがって、右クランクケース31Ｒよりシュラウド90を間にして離れたラジエータ80を、突出した４本のラジエータ取付ボス31Rbによりクランクケース31を大型化することなくクランクケース31に直接固定支持することができる。
【００５７】
ＡＣジェネレータ72の外周を略囲繞する右クランクケース31Ｒの周壁31Rsに連結されるシュラウド90の周壁部92は、ラジエータファン78の外周を略囲繞することになる（図３参照）。
【００５８】
図５は、この内燃機関30の右側面にラジエータ80を取付けた状態の右側面図を示しており、このラジエータ80の表面（右側面）にラジエータカバー105が被せられる。
ラジエータカバー105は、ラジエータ80のラジエータコア部81を右方から覆うルーバ106が形成されるコアカバー部105ｃと、コアカバー部105ｃの上側に上側ラジエータタンク部82の右側面および上面から前後面にかけて覆う上側タンクカバー部105ｕと、コアカバー部105ｃの下側に下側ラジエータタンク部83の右側面および下面から前後面にかけて覆う下側タンクカバー部105ｌとからなる。
【００５９】
コアカバー部105ｃの前後側縁の上下にそれぞれ前記シュラウド90の４つのカバー取付け片96に対応して取付けブラケット107が取付け孔を備えて突出形成されている。
したがって、ラジエータカバー105は、ラジエータ80の表面（右側面）に被せられ、シュラウド90の４つのカバー取付け片96にそれぞれ取付けブラケット107を合わせて各取付け孔にねじ108を挿入してカバー取付け片96のねじ孔96ａに螺合緊締し（図２参照）、ラジエータカバー105はシュラウド90に取付けられる（図１参照）。
【００６０】
次に冷却水の循環系について説明する。
図２および図５を参照して、シリンダヘッド33の右側面にウォータポンプ120が取付けられている。
ウォータポンプ120のウォータポンプボディ121は、ポンプ駆動軸123をベアリング125を介して回転自在に軸支する軸方向に長尺の長尺円筒部121ａと、その一方の開口端を径方向に延出しウォータポンプ駆動軸123に嵌着されるインペラ124を部分的に収容する径方向に拡大し軸方向に短尺の短尺円筒部121ｂとからなり、長尺円筒部121ａがウォータポンプ駆動軸123を前記カムシャフト53と同軸にしてシリンダヘッド33の右側壁に嵌挿されて固着され、ポンプ駆動軸123の左端はカムシャフト53の右端面に穿設された嵌合穴に嵌入されて同軸一体に回転するように構成される。
【００６１】
ウォータポンプボディ121の短尺円筒部121ｂの右開口を覆い短尺円筒部121ｂとともにインペラ124を収容するウォータポンプカバー122が、短尺円筒部121ｂの開口端面に重ね合わされてボルト126により固定される。
【００６２】
ウォータポンプカバー122は、ウォータポンプ駆動軸123の右方に膨出した吸入ポート部122ａからシリンダヘッド33の右側面に沿ってクランク軸40の方向に水吸込み筒部122ｂが延出するとともに、インペラ124の外周囲の下部から接線方向で斜め後下方に吐出ポート部122ｃが延出し、吐出ポート部122ｃからさらに吐出接続管127が突設されている（図５参照）。
また、インペラ124の外周囲の上部にエア抜き部122ｄが形成されて、エア抜き部122ｄから斜め後上方にエア抜き接続管128が突設されている。
【００６３】
水吸込み筒部122ｂの上流端（後端）は、連結フランジ122bbが形成されていて、同連結フランジ122bbにサーモスタット130が連結フランジ130ａを連結して取り付けられる。
サーモスタット130は、上部からバイパス接続管131が上方に延出し、下部から流入接続管132が下方に延出している。
【００６４】
また、図５および図９に示すように、シリンダヘッド33の右側面の上部からは内部のウォータジャケット33ｗの最上部位に直接連通する分岐接続管135が右方に突設されており、同分岐接続管135の本管135ａは右方に突出したのち後方に屈曲している。
この分岐接続管135の本管135ａの上流側左右水平部からはバイパス分岐管136が分岐して後方に突出しており、さらに本管135ａの下流側前後水平部からは細径のエア抜き分岐管137が下方に突出し、前方に屈曲して形成されている。
すなわち、分岐接続管135は、本管135ａからバイパス分岐管136とエア抜き分岐管137が分岐し、全部で４つの接続部を有する分岐管である。
【００６５】
図５を参照して、前記分岐接続管135の本管135ａは、ラジエータ80の上側ラジエータタンク部82より背後（左側）に突出した前記冷却水導入口82ｂとラジエータ流入ホース140により連結され、バイパス分岐管136は、サーモスタット130のバイパス接続管131とバイパスホース141により連結され、エア抜き分岐管137は、ウォータポンプ120のエア抜き接続管128とエア抜き連結ホース142により連結される。
【００６６】
ラジエータ80の下側ラジエータタンク部83より前方へ突出した冷却水導出口83ｂとサーモスタット130の流入接続管132とがラジエータ流出ホース143により連結され、ウォータポンプ120の吐出接続管127は、シリンダブロック32のウォータジャケット32ｗに連通する流入接続管138と連結ホース144により連結される。
【００６７】
図５を参照して、ラジエータ80で冷却された冷却水は、下側ラジエータタンク部83からラジエータ流出ホース143により前記サーモスタット130に導かれる。
サーモスタット130に導かれた冷却水は、サーモスタット130から水吸込み筒部122ｂを経てウォータポンプ120に吸い込まれ、ウォータポンプ120の吐出ポート部122ｃから連結ホース144を介してシリンダブロック32のウォータジャケット32ｗに供給される。
【００６８】
シリンダブロック32のウォータジャケット32ｗはシリンダヘッド33のウォータジャケット33ｗに連通しており、各ウォータジャケット32ｗ，33ｗを流れてシリンダブロック32とシリンダヘッド33を冷却した冷却水は、シリンダヘッド33の右側面の上部に突設された分岐接続管135からラジエータ流入ホース140を介してラジエータ80の上側タンク部82に戻る水経路が形成されている。
【００６９】
また、シリンダブロック32とシリンダヘッド33のウォータジャケット32ｗ，33ｗを流れた冷却水が、分岐接続管135から分岐したバイパス分岐管136からバイパスホース141を経てサーモスタット130に至る、ラジエータ80を通らず迂回する水経路が形成されている。
【００７０】
内燃機関30が暖まらない暖機運転時には、サーモスタット130はラジエータ80から流入する水経路を閉じ、シリンダヘッド33からバイパスする水経路を開いてラジエータ80を通らない水経路で暖機を早め、暖機が終了して通常運転に入ると、サーモスタット130はシリンダヘッド33からバイパスする水経路を閉じてラジエータ110から流入する水経路を開き、ラジエータ80で冷却された冷却水をシリンダブロック32からシリンダヘッド33に循環させてシリンダブロック32およびシリンダヘッド33を冷却する。
【００７１】
ウォータポンプ120内のエアは、ウォータポンプカバー122の上部のエア抜き部122ｄからエア抜き連結ホース142を介して上方の分岐接続管135に出て、後方に行くに従い若干上向きに傾斜したラジエータ流入ホース140を伝わってラジエータ80の上側ラジエータタンク部82に至り、さらに上側ラジエータタンク部82の傾斜した上壁に沿ってフィラーキャップ85のある上部まで達し、水経路からエアを抜くことができる。
【００７２】
以上のような内燃機関30における前記動弁機構50について、その吸気ロッカアーム58，排気ロッカアーム60の詳細な組付構造を以下説明する。
図１０は、水平近くまで前傾したシリンダヘッド33のシリンダヘッドカバー34を外し、その合せ面33ｄ側から視た前面図であり、互いに上下に位置する吸気ロッカアームシャフト57と排気ロッカアームシャフト59は、シリンダヘッド33の左側（図１０では右側）の側壁から内側へ膨出した左軸受部33Ｌと、同左軸受部33Ｌに対向した内側壁33ｃに形成された右軸受部33Ｒとの間に、架設支持される。
【００７３】
右軸受部33Ｒには、吸気ロッカアームシャフト57と排気ロッカアームシャフト59がそれぞれ貫通する軸受孔が上下にあり、両軸受孔に対応して左軸受部33Ｌにはそれぞれ軸受凹部が形成されており、吸気ロッカアームシャフト57と排気ロッカアームシャフト59は右軸受部33Ｒの右側から上下の軸受孔に貫通され、左軸受部33Ｌの対応する軸受凹部に嵌挿されて支持される。
【００７４】
なお、シリンダヘッド33における右軸受部33Ｒのカムチェーン室52ｈを隔てた右側壁には、上下の軸受孔にそれぞれ対向した箇所に作業孔57ｈ，59ｈが形成されており（図１２参照）、吸気ロッカアームシャフト57と排気ロッカアームシャフト59を上下の軸受孔に貫通させるときに、作業孔57ｈ，59ｈを利用して、この作業孔57ｈ，59ｈからまず吸気ロッカアームシャフト57と排気ロッカアームシャフト59を右側から挿入して右軸受部33Ｒの軸受孔に貫通させるようにする。
作業後は、作業孔57ｈ，59ｈは蓋部材57ｆ，59ｆにより閉塞される。
【００７５】
この吸気ロッカアームシャフト57の組付けの際に、左軸受部33Ｌと右軸受部33Ｒ間に介装した吸気ロッカアーム58の揺動基部と円筒状のカラー61とをともに吸気ロッカアームシャフト57が貫通するようにする。
左軸受部33Ｌに接する吸気ロッカアーム58は、右軸受部33Ｒに接するカラー61と左軸受部33Ｌに挟まれて、軸方向の移動が規制され、左寄りに位置決めがなされる。
【００７６】
また、排気ロッカアームシャフト59の組付けに際しては、左軸受部33Ｌと右軸受部33Ｒ間に介装した円筒状のカラー62と排気ロッカアーム60の揺動基部と円筒状のカラー63とをともに排気ロッカアームシャフト59が貫通するようにする。
排気ロッカアームシャフト59は、左軸受部33Ｌに接するカラー62と右軸受部33Ｒに接するカラー63とに挟まれて、軸方向の移動が規制され、中央に位置決めがなされる。
【００７７】
図１３に示すように、吸気ロッカアームシャフト57は、内部に軸方向にオイル通路57ａが形成された円筒状をなし、オイル通路57ａの左端は開口しているが、右端は閉塞されており、右端閉塞部の端面は半円形に欠損した切欠き57ｅが形成されている。
吸気ロッカアームシャフト57におけるオイル通路57ａの右端にオイル連通孔57ｂが径方向に穿設され、中央部には対向して１対のオイル吐出孔（オイル吐出路に相当）57ｃ，57ｃが径方向に穿設され、左寄りにオイル吐出孔57ｄがオイル吐出孔57ｃとは異なる角度で径方向に穿設されている。
【００７８】
また、円筒状をしたカラー61も、図１４に示すように、前記吸気ロッカアームシャフト57のオイル吐出孔57ｃ，57ｃに対応する所定箇所にオイル吐出孔61ｃ，61ｃが径方向に穿設されている。
そして、カラー61には、右端側所定位置に切欠き61ｐが側壁を接線方向に切り欠いて形成されている。
なお、排気ロッカアームシャフト59にはオイル通路等は形成されていない。
【００７９】
シリンダヘッド33の合せ面33ｄと同一面をなす右軸受部33Ｒの端面および左軸受部33Ｌの端面には、それぞれ上下にクランクケース31にシリンダブロック32を挟んでシリンダヘッド33を結合するスタッドボルト68が突出しており、突出したねじ部にナット69をワッシャ66を介装して螺合し緊締するが、右軸受部33Ｒの端面にはワッシャの代わりに１個のストッパプレ−ト65を介装して共締めする。
【００８０】
この上下方向に長尺のストッパプレ−ト65は、右軸受部33Ｒの右側から軸受孔に貫通され左軸受部33Ｌの対応する軸受凹部に嵌挿されて支持される吸気ロッカアームシャフト57と排気ロッカアームシャフト59の右端面を右側から抑えて軸方向の移動を規制する。
【００８１】
図１５を参照して、ストッパプレ−ト65は、右軸受部33Ｒの端面に当接される取付本体部65ａの上下端部にスタッドボルト68が貫通する取付け孔65aa，65aaが穿設されており、取付本体部65ａの右端縁で後方に屈曲されてストッパ片65ｂを形成している。
ストッパ片65ｂの後端縁65bbはカムシャフト53を避けて円弧状に切り欠かれ、吸気ロッカアームシャフト57の右端に対応するシャフト係合片に相当する上端部65buは略水平で、排気ロッカアームシャフト59の右端に対応する下端部65bdは先細に垂下している。
【００８２】
一方、ストッパプレ−ト65の取付本体部65ａの左端縁の前記上端部65buに対向する位置にカラー係合片65ｃが後方に屈曲されて形成されている。
このカラー係合片65ｃは組付けられたカラー61の切欠き61ｐに係合される。
【００８３】
図１６は、吸気ロッカアームシャフト57，排気ロッカアームシャフト59，カラー61，62，63およびストッパプレ−ト65が組付けられた状態を示す説明図であり、吸気ロッカアーム58，排気ロッカアーム60および右軸受部33Ｒ，左軸受部33Ｌは省略されている。
【００８４】
ストッパプレ−ト65は、ストッパ片65ｂの上端部65buが吸気ロッカアームシャフト57の右端閉塞部端面の半円形に欠損した切欠き57ｅに係合して吸気ロッカアームシャフト57の回動を所定回動角度に規制している。
なおストッパ片65ｂの上端部65buは、吸気ロッカアームシャフト57の右端閉塞部端面に接して吸気ロッカアームシャフト57の軸方向の移動も規制している。
一方、ストッパ片65ｂの下方に垂下した下端部65bdが排気ロッカアームシャフト59の右端面に接して排気ロッカアームシャフト59の軸方向の移動を規制している。
【００８５】
また、ストッパプレ−ト65は、そのカラー係合片65ｃが吸気ロッカアームシャフト57により挿通されて所定位置に嵌合されたカラー61の切欠き61ｐに食い込んで係合しカラー61の回動を所定回動角度に規制している。
【００８６】
このようにストッパプレ−ト65により共に回動を規制された吸気ロッカアームシャフト57とカラー61は、吸気ロッカアームシャフト57のオイル吐出孔57ｃ，57ｃとカラー61のオイル吐出孔61ｃ，61ｃが一致して上方および下方にオイルの吐出を可能としている。
【００８７】
また、吸気ロッカアームシャフト57の吸気ロッカアーム58が揺動自在に嵌合される部分に形成されたオイル吐出孔57ｄが斜め後下方に向けて形成されており、同オイル吐出孔57ｄは、吸気ロッカアーム58の揺動基端部の潤滑にオイルを供給するとともに、吸気ロッカアーム58の揺動基端部に形成されたオイル吐出孔58ｄとある揺動角度で一致して斜め後下方にオイルの吐出を可能としている。
【００８８】
前記４本のスタッドボルト68のうち右上側のスタッドボルト68が挿通されるシリンダヘッド33のボルト孔68ａは、オイル通路として使用しており、吸気ロッカアームシャフト57の右端部を支持する右軸受部33Ｒには、その軸受孔とボルト孔68ａとを連通するオイル通路33Raが形成されている（図１０参照）。
オイル通路33Raは、吸気ロッカアームシャフト57の軸受孔に挿入される右端部に形成されたオイル連通孔57ｂと連通する。
【００８９】
したがって、シリンダヘッド33のボルト孔68ａを通って供給されるオイルは、オイル通路33Ra，オイル連通孔57ｂを経て吸気ロッカアームシャフト57内のオイル通路57ａに至り、オイル通路57ａから上下のオイル吐出孔57ｃ，61ｃおよび斜め下部のオイル吐出孔57ｄ，58ｄから吐出される。
【００９０】
図１１に示すように、上方に開口したカラー61のオイル吐出孔61ｃからは、吸気バルブ56ｉのバルブステム56isの端部の調整ねじ58ｓとの接触部に向けてオイルが噴射され、下方に開口したカラー61のオイル吐出孔61ｃからは、カムシャフト53のカム53ｅに接する排気ロッカアーム60のローラ60ｒに向けてオイルが噴射される。
【００９１】
また、吸気ロッカアームシャフト57の斜め後下方に向けて形成されたオイル吐出孔57ｄは、吸気ロッカアーム58の揺動基端部の潤滑にオイルを供給するとともに、吸気ロッカアーム58の揺動基端部に形成されたオイル吐出孔58ｄとある揺動角度で一致したときに、斜め後下方のカムシャフト53の吸気カム53ｉにオイルを噴射し潤滑する。
【００９２】
以上のように、本動弁機構50は、吸気ロッカアームシャフト57に挿通させた円筒状のカラー61を左軸受部33Ｌと右軸受部33Ｒ間に介装して吸気ロッカアーム58の軸方向の移動を規制し、排気ロッカアームシャフト59に挿通させた円筒状のカラー62，63を左軸受部33Ｌと右軸受部33Ｒ間に介装して排気ロッカアーム60の軸方向の移動を規制するので、軸受部またはロッカアームの大型化を避け、かつフリクションの発生を回避した簡単な構成でロッカアームの軸方向の移動を規制することができる。
【００９３】
オイル通路57ａを備える吸気ロッカアームシャフト57に挿通されるカラー61には、径方向に貫通するオイル吐出孔61ｃが吸気ロッカアームシャフト57のオイル吐出孔57ｃに対応した所定位置に形成され、吸気ロッカアームシャフト57とカラー61の双方の回動をストッパプレート65が阻止する構造となっているので、吸気ロッカアームシャフト57と排気ロッカアームシャフト59の所要部（バルブステム56isの端部の調整ねじ58ｓとの接触部、吸気ロッカアーム58と排気ロッカアーム60の各ローラ58ｒ，60ｒ）へのオイルの供給を容易に確保することができる。
【００９４】
１つのストッパプレート65でカラー61の回動を阻止するとともに、吸気ロッカアームシャフト57と排気ロッカアームシャフト59の軸方向の移動および吸気ロッカアームシャフト57の回動を規制することができるので、少ない部品点数で組付け作業も簡単化することができる。
【図面の簡単な説明】
【００９５】
【図１】本発明の一実施の形態に係るスクータ型自動二輪車の全体側面図である。
【図２】パワーユニットの前半部の断面図（図１のII−II線断面図）である。
【図３】パワーユニットの前半部の断面図（図１のIII−III線断面図）である。
【図４】パワーユニットの前半部の一部断面一部省略した右側面図である。
【図５】パワーユニットの前半部のラジエータカバーを外した右側面図である。
【図６】シュラウドの右側（表側）面図である。
【図７】同左側（裏側）面図である。
【図８】図７のVIII−VIII線断面図である。
【図９】シリンダヘッドの上面図である。
【図１０】同シリンダヘッドの前面図である。
【図１１】図４の要部拡大図である。
【図１２】図１０のXII−XII線断面図である。
【図１３】吸気ロッカアームシャフトの斜視図である。
【図１４】カラーの斜視図である。
【図１５】ストッパプレートの斜視図である。
【図１６】ロッカアームシャフト，カラー，ストッパプレートの組付けられた状態を示す説明図である。
【符号の説明】
【００９６】
20…パワーユニット、30…内燃機関、31…クランクケース、32…シリンダブロック、33…シリンダヘッド、33ａ…燃焼室、33ｃ…内側壁、33Ｒ…右軸受部、33Ｌ…左軸受部、
50…動弁機構、51…カムチェーン、52ｃ，52ｓ，52ｈ…カムチェーン室、53…カムシャフト、54…被動スプロケット、55…駆動スプロケット、56…ベアリング、56ｉ…吸気バルブ、56ｅ…排気バルブ、57…吸気ロッカアームシャフト、57ａ…オイル通路、57ｃ…オイル吐出孔（オイル吐出路）、58…吸気ロッカアーム、59…排気ロッカアームシャフト、60…排気ロッカアーム、61，62，63…カラー、61ｃ…オイル吐出孔、65…ストッパプレ−ト、65ｃ…カラー係合片。
【図１】
2008175088.tif 000003
【図２】
2008175088.tif 000004
【図３】
2008175088.tif 000005
【図４】
2008175088.tif 000006
【図５】
2008175088.tif 000007
【図６】
2008175088.tif 000008
【図７】
2008175088.tif 000009
【図８】
2008175088.tif 000010
【図９】
2008175088.tif 000011
【図１０】
2008175088.tif 000012
【図１１】
2008175088.tif 000013
【図１２】
2008175088.tif 000014
【図１３】
2008175088.tif 000015
【図１４】
2008175088.tif 000016
【図１５】
2008175088.tif 000017
【図１６】
2008175088.tif 000018